(57)【特許請求の範囲】
【請求項１】
クレジット・カード又はデビット・カードを使用して料金が後納される、車両駐車時の支払い方法であって、システムは、クレジット・カード又はデビット・カードの読取機（２）が設けられた複数の駐車装置（１）を含み、前記駐車装置は、コンピュータ（４）及びデータベース（５）を含む監視用コンピュータ・システム（３）と接続されており、駐車時間の開始時に、また駐車時間の終了時に、前記駐車装置のクレジット・カード又はデビット・カードの前記読取機によって、クレジット・カード又はデビット・カードが読み取られる、支払い方法において、
車両の登録番号は、前記駐車装置に付随する手段（６、７）を使用して、前記車両を駐車する者によって前記駐車装置（１）に入力され、
前記クレジット・カード又はデビット・カードの番号及び登録番号は、前記コンピュータ（４）へ転送され、互いに関連付けられて前記データベース（５）に格納され、
前記クレジット・カード又はデビット・カードが、続く駐車時間の開始時に読み取られるとき、及び前記クレジット・カード又はデビット・カードの番号が前記コンピュータ（４）によって受信されるとき、前記コンピュータ・システム（３）が、少なくとも、前記クレジット・カード又はデビット・カードが関連付けられた最新の登録番号を前記データベース（５）の中で検索し、
前記コンピュータ・システム（３）が、前記登録番号を前記駐車装置（１）へ転送し、
特定された前記登録番号の車両を、前記車両を駐車する者が駐車する予定であるかどうかについての質問と共に、前記駐車装置が、前記駐車装置に付随するディスプレイ（６）上に前記登録番号を表示し、
前記質問に対する回答が、前記手段（６、７）を使用して、前記駐車する者によって前記駐車装置（１）へ入力される、ことを特徴とする、支払い方法。
【請求項２】
前記コンピュータ・システム（３）が、前記クレジット・カード又はデビット・カードの口座番号と共に、前記データベース（５）に格納された少なくとも２つの最新の前記登録番号を前記駐車装置（１）へ転送し、
選択された前記登録番号が、前記車両を駐車する者によって前記駐車装置に入力される、ことを特徴とする、請求項１に記載された方法。
【請求項３】
前記手段が、英数字を備えた電子タッチセンサー式画面（６）を含むことを特徴とする、請求項１又は請求項２に記載された方法。
【請求項４】
前記手段が、英数字を備えたキーボード（７）を含むことを特徴とする、請求項１から請求項３までのいずれか一項に記載された方法。
【請求項５】
前記駐車装置にはマイク（８）が設けられ、前記マイクは、前記駐車装置（１）において、適切な音声認識用の周知の回路に接続され、前記駐車装置は、前記クレジット・カード又はデビット・カードが前記駐車装置によって読み取られた後に、前記車両を駐車する者によって発音された登録番号を認識し、
前記回路は拡声器（９）を制御し、前記拡声器（９）が合成音声を使用して、前記車両を駐車する者に対して前記登録番号を復唱し、或いは、前記回路は前記ディスプレイ（６）を制御し、認識された前記登録番号が前記ディスプレイ（６）に表示される、ことを特徴とする、請求項１又は請求項２に記載された方法。
【請求項６】
前記コンピュータ・システム（３）が、どの登録番号が駐車用の前記データベース（５）に登録されているか、及びどの登録番号が駐車時間を終了していないかを特定することを特徴とする、請求項１から請求項５までのいずれか一項に記載された方法。
【発明の詳細な説明】
【技術分野】
【０００１】
本発明は、クレジット・カード又はデビット・カードを使用して料金が後納される、車両駐車時の支払い方法に関するものである。
【背景技術】
【０００２】
駐車時間の開始時に駐車者が駐車装置を用いてクレジット・カード又はデビット・カードを読み取らせてチケットを受け取る駐車料金支払いシステムが利用可能である。このチケットは、その後車両のダッシュボードに置かれる。駐車時間の終了時には、この同じクレジット・カード又はデビット・カードが、このシステムに属する駐車装置によって読み取られる。それによって、駐車料金が計算され、このクレジット・カード又はデビット・カードに関連する口座に料金が請求される。したがって、前記チケットを使用して管理が行われるので、この駐車システムは、車両番号に関する情報を有することとは関係がない。このようなシステムは、チケット用の新しい紙を供給することにより、駐車装置が継続的に保守されなければならないという欠点を有する。
【０００３】
また、駐車時間の開始時にチケットが印刷される代わりに、駐車時間の開始時に車両の登録番号が駐車装置に入力される駐車料金支払いシステムも利用可能である。駐車時間は、駐車装置がクレジット・カード又はデビット・カードを読み取ることによって開始する。駐車時間は、システムに属する駐車装置がクレジット・カード又はデビット・カードをさらに読み取ることによって終了する。各車両の登録番号はシステムに入力されているので、車両が駐車時間を開始したかどうかを管理するために、駐車車両のリストを生成することができる。
【０００４】
上述の駐車料金支払いシステムは、共に料金後納システムである。
【０００５】
後者のシステムは、車両を駐車する者が駐車を行うたびに登録番号を入力しなければならないという欠点を有する。このことは、特に駐車装置に行列ができたときには、時間のかかるものとして体験される。
【発明の概要】
【発明が解決しようとする課題】
【０００６】
本発明は、この欠点を解消する。
【課題を解決するための手段】
【０００７】
したがって本発明は、クレジット・カード又はデビット・カードを使用して料金が後納される、車両駐車時の支払い方法に関するものである。このシステムは、クレジット・カード又はデビット・カードの読取機が設けられた複数の駐車装置を含み、この駐車装置は、コンピュータ及びデータベースを含む監視用コンピュータ・システムと接続されており、駐車時間の開始時に、また駐車時間の終了時に、この駐車装置によってクレジット・カード又はデビット・カードが読み取られる。本発明は、車両の登録番号が、駐車装置に付随する手段を使用して、車両を駐車する者によって駐車装置に入力され、クレジット・カード又はデビット・カードの番号、及び登録番号が、前記コンピュータへ転送され、互いに関連付けられて前記データベースに格納され、前記クレジット・カード又はデビット・カードが、続く駐車時間の開始時に読み取られるとき、及びクレジット・カード又はデビット・カードの番号が前記コンピュータによって受信されるとき、コンピュータ・システムが、少なくとも、前記クレジット・カード又はデビット・カードが関連付けられた最新の登録番号をデータベースの中で検索し、コンピュータ・システムが、前記登録番号を駐車装置へ転送し、特定された登録番号の車両を、車両を駐車する者が駐車する予定であるかどうかについての質問と共に、駐車装置が、駐車装置に付随するディスプレイ上にこの登録番号を表示し、この質問に対する回答が、前記手段を使用して、駐車する者によって入力される、ことを特徴とする。
【０００８】
添付の図面に示す本発明の実施例と部分的に関連して、以下に本発明をさらに詳細に説明する。
【図面の簡単な説明】
【０００９】
【図１】本発明を示すブロック図である。
【実施例】
【００１０】
本発明は、車両駐車時の支払い方法に関するものである。この方法においては、クレジット・カード又はデビット・カードが使用され、料金が後納される。そして、この方法のシステムは、クレジット・カード又はデビット・カード用の読取機２が設けられた複数の駐車装置１を含む。駐車装置１は、コンピュータ４及びデータベース５を含む監視用コンピュータ・システム３に接続されている。駐車時間の開始時に、また駐車時間の終了時に、駐車装置のクレジット・カード又はデビット・カードの読取機によって、クレジット・カード又はデビット・カードが読み取られる。
【００１１】
本発明によれば、車両の登録番号は、駐車装置に付随する手段を使用して、車両を駐車する者によって駐車装置１に入力される。
【００１２】
１つの好ましい実施例によれば、前記手段は、英数字を備えた電子タッチセンサー式画面６を含む。
【００１３】
代替設計によれば、前記手段は、英数字を備えたキーボード７を含む。図１において、キーボード７は点線によって示されている。
【００１４】
非常に好ましい設計によれば、駐車装置にはマイク８が設けられる。このマイクは、駐車装置１において、適切な音声認識用の周知の回路に接続される。音声認識用の周知の回路は図中には示されていない。クレジット・カード又はデビット・カードが駐車装置によって読み取られた後に、車両を駐車する者によって発音された登録番号を、駐車装置は認識する。続いて、前記回路は拡声器９を制御し、拡声器９が合成音声を使用して、車両を駐車する者に対して登録番号を復唱する。或いは、前記回路はディスプレイ６を制御し、認識された登録番号がディスプレイ６に表示される。車両をログインするために要する時間は、この設計によってさらに削減される。
【００１５】
さらに、本発明によれば、クレジット・カード又はデビット・カードの番号及び登録番号が、前記コンピュータ４へ転送され、互いに関連付けられて前記データベース５に格納される。
【００１６】
前記クレジット・カード又はデビット・カードが、続く駐車時間の開始時に読み取られるとき、及びクレジット・カード又はデビット・カードの番号が前記コンピュータ４によって受信されるとき、コンピュータ・システム３は、少なくとも、前記クレジット・カード又はデビット・カードが関連付けられた最新の登録番号をデータベース５の中で検索する。それによって、コンピュータ・システムは、前記登録番号を駐車装置１へ転送する。駐車装置は、車両を駐車する者がこの特定された登録番号の車両を駐車する予定であるかどうかについての質問と共に、駐車装置に付随するディスプレイ６上にこの登録番号を表示する。前記ディスプレイは、前記英数字のタッチセンサー式画面とすることが可能である。最後に、駐車する者は、前記手段６、７を使用してこの質問に対する回答を入力する。
【００１７】
車両を駐車する者が、異なる登録番号の車両を駐車したいと望む場合、駐車者は「いいえ」と回答し、駐車する予定の車両の登録番号を入力する。
【００１８】
１つの好ましい設計によれば、コンピュータ・システム３は、前記クレジット・カード又はデビット・カードの口座番号と共に、データベース５に格納された少なくとも２つの最新の登録番号を駐車装置１へ転送する。その後、登録番号の選択が行われ、選択された登録番号が車両を駐車する者によって駐車装置に入力される。駐車装置に前記タッチセンサー式画面６が設けられる場合、登録番号が画面上に表示される。それによって、車両を駐車する者は、使用される予定の登録番号にタッチする。
【００１９】
最新の２つの登録番号よりも多くの登録番号を、タッチセンサー式画面上に明示することが可能であることは明らかである。
【００２０】
駐車時間が終了するとき、車両を駐車する者は、再びクレジット・カード又はデビット・カードが駐車装置のクレジット・カード又はデビット・カードの読取機に読み取られるようにする。これによって、コンピュータ・システムは駐車料金を計算し、関連するクレジット・カード又はデビット・カード会社に引き落とし指示を送信する。
【００２１】
駐車車両を管理するために、前記コンピュータ・システム３は、どの登録番号が駐車用の前記データベース５に登録されているか、及びどの登録番号が駐車時間を終了していないかを特定する。
【００２２】
このようにして駐車監視員は、登録されて駐車場にあるべき車両のリストを作成することができる。したがって、このリストを使用して、駐車車両がシステムにログインしているかどうかを管理することが可能である。代替的な方法は、駐車監視員がコンピュータ・システム３と無線通信を行う方法である。無線接続を使用する１つの方法は、駐車監視員が、適切な方法によって車両に関する情報をコンピュータ・システムに送信し、それによってコンピュータ・システムが、この車両がシステムにログインしているかどうかに関する情報を駐車監視員に送信することである。
【００２３】
さらなる方法としては、ある領域内の車両の登録番号を装置によって読み取り、その後、読み取られた登録番号をコンピュータ・システムへ転送し、そこでシステムにログインしている車両と比較するという方法がある。ある車両が、コンピュータ・システムにログインせずにこの領域にある場合、コンピュータ・システムは駐車違反の罰金を発生させる。
【００２４】
本発明は、導入部に記載された欠点を解消する。通常の場合、十分に迅速にクレジット・カード又はデビット・カードを読み取ることができるので、またチケット及びそれに類するものの管理が省かれるので、本発明のシステムによって、ログインがより迅速に行われるということを意味する。
【００２５】
複数の様々な実施例について上述した。しかしながら、駐車装置の特性に関して、及び駐車車両の管理をどのように行うかに関して、本発明を変更することが可能であることは明らかである。
【００２６】
例えば、登録番号の入力装置は、上述したもの以外とすることができる。キーボードは、携帯電話で使用されるキーボードと同じタイプのもの、すなわち数字キーが文字キーとしても使用されるものとすることができる。さらなる設計としては、ディスプレイを、文字用の３つの場所と数字用の３つの場所を有する、登録番号用の１つのフィールドを備えたディスプレイとすることもある。クレジット・カード又はデビット・カードが読み取られると、前記フィールドが起動されて、文字「Ａ」が第１の場所に表示される。第１の場所に異なる文字が配置されるべきである場合には、車両を駐車する者は矢印キーを押して、文字Ｂ、Ｃ、Ｄ、……が表示されるようにする。車両を駐車する者がキーを使用するなどして正しい文字を確定すると、カーソルが次の位置に移動される。
【００２７】
このように、本発明は、添付の特許請求の範囲によって特定される範囲内で変更されることが可能であるので、上述の実施例に限定されるとみなされるべきではない。
【図１】
0005433005.tif 000002